(57)【特許請求の範囲】
【請求項１】
浴槽への設定湯量を設定する湯量設定手段又は前記浴槽の基準水位を設定する水位設定手段と、前記設定湯量又は前記基準水位に従って前記浴槽へ給湯を行う給湯手段と、前記浴槽の水位を検出する水位検出手段と、前記浴槽への給湯量と水位の変化量とから前記浴槽の断面積を算出する断面積算出手段と、前記浴槽断面積と水位の変化量とから湯量を算出する湯量算出手段とを備え、初回の湯張りの際には、前記断面積算出手段により前記浴槽断面積を算出し、湯張り終了後は、所定量の水位低下に伴い、前記湯量算出手段が算出した湯量の足し湯を行う自動風呂装置であって、
前記水位検出手段が、前記湯量設定手段又は前記水位設定手段により設定された前記設定湯量又は前記基準水位に到達するまでに、前記給湯量が第１給湯量となる第１水位、前記給湯量が前記第１給湯量よりも多い第２給湯量となる第２水位、及び前記給湯量が第２給湯量よりも多い第３給湯量となる第３水位を検出し、
前記断面積算出手段が、前記第１水位と前記第２水位との間における第１断面積と、前記第２水位と前記第３水位との間における第２断面積とを算出するとともに、前記第１断面積と前記第２断面積とが、０．５＜第１断面積／第２断面積＜１．５、の関係式を満たすと、前記第１断面積と前記第２断面積とのうち小さい方を前記浴槽断面積として設定する一方、
前記湯量設定手段又は前記水位設定手段により前記設定湯量又は前記基準水位が変更された場合には、次回の湯張りの際に前記浴槽断面積を再度算出して前記浴槽断面積を更新することを特徴とする自動風呂装置。
【発明の詳細な説明】
【０００１】
【発明の属する技術分野】
本発明は、浴槽への給湯手段を備えて自動的に湯張り及び水位維持を行う自動風呂装置に関する。
【０００２】
【従来の技術】
自動風呂装置（以下「風呂装置」という）においては、浴槽への設定湯量又は基準水位を設定するリモコン等の設定湯量又は水位設定手段と、その設定湯量又は基準水位に基づいて、例えばバーナと熱交換器とで水を加熱し、所定温度の湯を直接浴槽へ落とし込んで浴槽に湯張りを行う給湯手段とが設けられている。又、風呂装置には、浴槽の水位を検出する圧力センサ等の水位検出手段と、浴槽への給湯量と水位の変化量とから浴槽断面積を算出する断面積算出手段と、浴槽断面積と水位の変化量とから湯量を算出する湯量算出手段とが設けられており、初回の湯張りの際に、断面積算出手段により浴槽断面積を算出して記憶しておき、湯張り終了後に浴槽の水位が所定量低下した場合には、浴槽断面積と水位低下量とに基づいて湯量算出手段が算出した湯量の足し湯を行うようになっている。
【０００３】
【発明が解決しようとする課題】
上記風呂装置において、初回の湯張り時に得られた浴槽断面積は不揮発性メモリに記憶され、次回の湯張り以後も継続して使用されるため、浴室のリフォーム等で浴槽形状が変更された場合は、ユーザーにリモコン等のボタンの特殊操作によって浴槽断面積を消去させ、改めて湯張りの際に浴槽断面積を求める制御を行っていた。しかし、ユーザーには消去操作が複雑でわかりにくく、結局メーカーや販売店に問い合わせる必要が生じ、ユーザーへ負担をかけることになる。かといってそのまま使用すると、誤った浴槽断面積によって足し湯量が算出されるため、足し湯量が少なすぎたり、逆に多すぎて浴槽からあふれたりして使い勝手が悪くなってしまう。
【０００４】
そこで、請求項１に記載の発明は、浴槽形状の変更があっても、ユーザーへの何等の負担なく常に適正な足し湯が行え、使い勝手に優れた自動風呂装置を提供することを目的としたものである。
【０００５】
【課題を解決するための手段】
上記目的を達成するために、請求項１に記載の発明は、水位検出手段が、湯量設定手段又は水位設定手段により設定された設定湯量又は基準水位に到達するまでに、給湯量が第１給湯量となる第１水位、給湯量が第１給湯量よりも多い第２給湯量となる第２水位、及び給湯量が第２給湯量よりも多い第３給湯量となる第３水位を検出し、断面積算出手段が、第１水位と第２水位との間における第１断面積と、第２水位と第３水位との間における第２断面積とを算出するとともに、第１断面積と第２断面積とが、０．５＜第１断面積／第２断面積＜１．５、の関係式を満たすと、第１断面積と第２断面積とのうち小さい方を浴槽断面積として設定する一方、湯量設定手段又は水位設定手段により設定湯量又は基準水位が変更された場合には、次回の湯張りの際に浴槽断面積を再度算出して浴槽断面積を更新することを特徴とする。
【０００６】
【発明の実施の形態】
以下、本発明の実施の形態を図面に基づいて説明する。
図１は、自動風呂装置（以下「風呂装置」という）の概略を示すもので、風呂装置１は、上水道からの水を加熱する給湯手段としての給湯回路２と、給湯回路２に接続され、浴槽４内の湯水を循環加熱する循環加熱回路３とからなる。まず、給湯回路２は、上水道の水が供給される給水管５と、給水管５からの水を給湯燃焼室６内で給湯バーナ７，７・・で加熱する給湯熱交換器８と、給湯熱交換器８に接続される出湯管９とを有し、給水管５には、水量センサ１０、入水温センサ１１が、出湯管９には、出湯温センサ１２，１３が夫々設けられる。１４は給湯栓、１５はバイパス管である。一方、ガス管１６には、上流側から元電磁弁１７、比例弁１８が夫々設けられ、比例弁１８の下流側でガス管１６は分岐管１９，１９・・に分岐して夫々給湯バーナ７へ接続され、各分岐管１９には切替電磁弁２０が設けられている。２１，２１・・はフレームロッド、２２はイグナイタ、２３は点火電極である。
【０００７】
一方、循環加熱回路３は、浴槽４に接続される戻り配管２５と、戻り配管２５からの湯水を風呂燃焼室２６内で風呂バーナ２７で加熱する風呂熱交換器２８と、風呂熱交換器２８から浴槽４に接続される往き配管２９とを有し、戻り配管２５には、浴槽４内の水位検出手段としての圧力センサ２４の他、温度センサ３０、ポンプ３１、流水スイッチ３２が、往き配管２９には、温度センサ３３が夫々設けられる。又、風呂バーナ２７へのガスの供給は、給湯回路２の最下流の分岐管１９から分岐される分岐管３４から行われ、分岐管３４には、切替電磁弁３５が設けられている。３６はフレームロッド、３７は点火電極である。
又、給湯回路２の出湯管９と循環加熱回路３の戻り配管２５とは、落とし込み管３８で接続されており、落とし込み管３８の落とし込み電磁弁３９の開閉によって、給湯回路２で加熱された湯を浴槽４へ供給可能となっている。落とし込み管３８には、浴槽４への湯量検出手段としての水量センサ４０、逆止弁４１，４１が夫々設けられている。
そして、給湯側の給湯燃焼室６と風呂側の風呂燃焼室２６とは連通路４２で連通されて、ここでは給湯燃焼室６に、ファンモータ４４を備えたファン４３が設けられている。
【０００８】
４５はコントローラで、上記各センサやスイッチの検出信号が入力される他、後述する風呂自動運転制御、保温運転制御において、元電磁弁１７、切替電磁弁２０，３５、給湯用電磁弁３９の開閉制御、比例弁１８の開度制御、ファン４３の回転数制御（ファンモータ４４の回転数制御）等を行う。又、コントローラ４５には、給湯回路２側の運転状態を選択する給湯リモコン４６と、循環加熱回路３側の運転状態を選択する風呂リモコン４７とが夫々接続されている。
よって、風呂装置１における給湯回路２では、給湯栓１４を開くと、給湯回路２内を水が流れて水量センサ１０が検出信号をコントローラ４５へ送るため、コントローラ４５は、元電磁弁１７、切替電磁弁２０、比例弁１８を夫々ＯＮさせてイグナイタ２２を動作させ、給湯バーナ７に点火して、給湯熱交換器８で加熱された湯を出湯させる。又、コントローラ４５は、給湯リモコン４６の温度設定スイッチにより指示される設定温度に従って、切替電磁弁２０の開閉制御及び比例弁１８の開度制御を行い、ガス量を連続的に変化させて出湯温度を一定に保持すると共に、ガス量の変化に応じてファンモータ４４へ信号を送り、ガス量と空気量との関係を一定に維持させる。
【０００９】
次に、コントローラ４５による風呂側の作動制御を、図２以下のフローチャートに従って説明する。まず図２において、リモコンの風呂自動スイッチがＯＮされると、Ｓ１では、浴槽断面積Ａの記憶があるか否かが判別される。ここで浴槽断面積Ａの記憶がなければ、Ｓ２で初回の風呂自動運転制御（図３）が行われるが、浴槽断面積Ａの記憶があれば、Ｓ３で、設定湯量変更の履歴があるか否かが判別される。ここで設定湯量変更の履歴がなければ、前回まで設定湯量変更の必要なく適正に使用されたとして、Ｓ４で通常の風呂自動運転制御（図６）が行われるが、設定湯量変更の履歴があれば、前回の風呂自動運転では適正な湯量ではなかった、即ち浴槽４の形状に変更があったとして、Ｓ２で初回の風呂自動運転制御が行われることになる。
【００１０】
そして、図３は初回の風呂自動運転のフローチャートで、まずＳ１でリモコンの風呂自動ランプが点灯し、Ｓ２で落とし込み電磁弁３９がＯＮ（開弁）する。この場合も、給湯回路２内を水が流れて所定の水量を水量センサ１０が検出するため、給湯バーナ７に点火されて給湯燃焼が開始される。よって、給湯熱交換器８で加熱された湯は、落とし込み管３８から戻り配管２５を介して浴槽４に供給されることになる。尚、浴槽４への湯量は、落とし込み管３８に設けられた水量センサ４０の検出信号によってコントローラ４５が監視する。
そして、Ｓ３の判別で湯量が５リットル（ポンプ３１の呼び水として）に達すると、Ｓ４で落とし込み電磁弁３９をＯＦＦ（閉弁）させ、Ｓ５で給湯を停止すると共にポンプ３１をＯＮさせる。尚、Ｓ３で５リットルの落とし込みが２０分経過しても終了しない場合は、後述する風呂自動運転（図６）のＳ４において落とし込み電磁弁３９がＯＦＦして給湯停止する。
【００１１】
ポンプ３１の駆動後、Ｓ６の判別で流水スイッチ３２が１分間ＯＦＦのままであると、浴槽４内に残湯なしとしてＳ７でポンプ３１をＯＦＦさせ、再び落とし込み電磁弁３９をＯＮさせて給湯燃焼を開始する。Ｓ８の判別で水量センサ４０で得られる湯量が設定湯量の５０％に達すると、Ｓ９で落とし込み電磁弁３９をＯＦＦさせ、Ｓ１０で給湯を停止させてポンプ３１をＯＮさせる。続いてＳ１１で再び流水スイッチ３２が１分間ＯＮか否かを判別し、ＯＮであると、Ｓ１２でポンプ３１をＯＦＦさせて落とし込み電磁弁３９を開き、浴槽４への湯張りを再開する。この落とし込みは１０リットル行われる（Ｓ１３）。
１０リットルの落とし込みが終了すると、Ｓ１４で落とし込み電磁弁３９をＯＦＦさせてＳ１５で給湯を停止し、Ｓ１６でポンプ３１の入力電圧を位相角０°として駆動させる。Ｓ１７で所定の撹拌時間（ここでは２０秒間）が経過すると、Ｓ１８で今度は位相角を９８°にして１０秒間駆動させてＳ１９でＯＦＦにし、Ｓ２０でポンプ３１の停止後所定時間（ここでは１０〜１５秒）経過を確認する。所定時間経過すると、Ｓ２１で圧力センサ２４に基づく浴槽４の第１水位を検出する（以下、Ｓ１６からＳ２０までの制御を「ポンプ回転数制御」と定義付けして示す）。
【００１２】
水位検出後、図４におけるＳ２２で、落とし込み電磁弁３９を開いて浴槽４への給湯を再開し、Ｓ２３の判別で設定湯量の８０％の落とし込みが終了すると、落とし込み電磁弁３９をＯＦＦさせ（Ｓ２４）、Ｓ２５で給湯停止させて、再びポンプ３１の回転数制御を実行し（Ｓ２６）、Ｓ２７で第２水位を再び検出する。
Ｓ２７の水位検出後、Ｓ２８で落とし込み電磁弁３９を開いて給湯を開始し、Ｓ２９の判別で設定湯量に達すると、Ｓ３０で落とし込み電磁弁３９をＯＦＦさせ、Ｓ３１で給湯を停止して沸き上げ報知を行う。その後、ポンプ３１の回転数制御を行った後（Ｓ３２）、Ｓ３３で第３水位（基準水位１）を検出すると共に、それまでの水位の変化量と湯量とから、浴槽４の断面積Ａを算出する。
【００１３】
この浴槽断面積Ａの算出は、第１水位までの給湯量をＱ１、圧力センサ２４の値をＳＵ１、第２水位までの給湯量をＱ２、圧力センサ２４の値をＳＵ２、第３水位までの給湯量をＱ３、圧力センサ２４の値をＳＵ３として、まず以下の数１，数２によって第１、第２水位間での面積ａと、第２、第３水位間での面積ｂとを求める。
【００１４】
【数１】
0004190123.tif 000002
【００１５】
【数２】
0004190123.tif 000003
【００１６】
上記で得られた面積ａと面積ｂとの比が、０．５＜ａ／ｂ＜１．５の範囲内であれば、面積ａと面積ｂとの値の小さい方を浴槽断面積Ａとし、範囲外であれば、暫定的に小さい方を使用し、次回の自動運転で再び初回の風呂自動運転制御を行って３回の水位検出から浴槽断面積Ａを得る。ここで値の小さい方を採用するのは、大きい方だと足し湯量が多すぎて浴槽からあふれるおそれがあるが、小さい方だと足し湯回数が増えても基準水位の維持が可能となるからである。
こうして浴槽断面積Ａの算出後、５秒後に再び水位を検出して（Ｓ３４）、Ｓ３５では、その水位の基準水位１からの低下量が６cm以下か否かを判別し、６cmを超えていれば、浴槽４の水漏れが生じているとしてＳ３６でリモコンのランプの点滅による報知を行い、６cm以下であればＳ３７でポンプ３１をＯＮさせて図６の風呂自動運転のＳ１８へ移る。
【００１７】
一方、図３のＳ６の判別で流水スイッチ３２のＯＮが確認されると、浴槽４に残湯ありとして、Ｓ３８でポンプ３１がＯＦＦして落とし込み電磁弁３９が開き、給湯燃焼が開始される。１０リットルまで落とし込みが行われると（Ｓ３９）、Ｓ４０で落とし込み電磁弁３９がＯＦＦし、給湯停止とポンプ３１の回転数制御とが行われ（Ｓ４１，Ｓ４２）、第１水位が検出される（Ｓ４３）。次に、Ｓ４４で落とし込み電磁弁３９を開いて給湯を再開して１０リットルの落とし込みを行い（Ｓ４５）、落とし込み電磁弁３９をＯＦＦさせて給湯停止後（Ｓ４６，Ｓ４７）、Ｓ４８でポンプ３１の回転数制御を行ってから、Ｓ４９で第２水位を検出して浴槽断面積Ａを算出する。そして、５秒後に更に水位を検出し（Ｓ５０）、水位低下量が６cm以下であれば（Ｓ５１）、Ｓ５２でポンプ３１をＯＮさせて図６の風呂自動運転のＳ３４へ移る。即ち、残湯ありの場合は、第１水位と第２水位との２点から浴槽断面積Ａが得られることになる。
【００１８】
又、Ｓ１１の判別で設定湯量の５０％を落とし込んでも流水スイッチ３２のＯＮが確認できなかった場合は、図５におけるＳ５３でポンプ３１をＯＦＦし、落とし込み電磁弁３９をＯＮさせて給湯燃焼を開始し（Ｓ５４）、設定湯量の１０％だけ落とし込みを行う（Ｓ５５）。１０％に達すると、Ｓ５６で落とし込み電磁弁３９をＯＦＦさせ、Ｓ５７で給湯停止させてポンプ３１をＯＮさせ、Ｓ５８で再び流水スイッチ３２が１分間ＯＮか否かを判別する。ここで流水スイッチ３２のＯＮが確認されれば、浴槽４内に湯があるとして、図３のＳ１２へ戻るが、ここでも流水スイッチ３２のＯＮが確認されなければ、次のＳ５９で、落とし込み量の合計が設定湯量の９０％未満か否かを判別する。ここで９０％未満であれば、再びＳ５３へ戻って設定湯量の１０％の落とし込みと流水スイッチ３２のＯＮの確認とが行われ、Ｓ５９の判別で落とし込み量が９０％に達すると、Ｓ６０でポンプ３１をＯＦＦしてリモコンのランプの点滅による報知を行う。即ち、設定湯量の１０％ずつ落とし込んでその度に流水スイッチ３２のＯＮを確認し、流水スイッチ３２のＯＮが確認されないまま落とし込み量が９０％に達すると、自動運転を中止するのである。尚、落とし込み量が９０％で流水スイッチ３２のＯＮが確認された場合は、９０％での水位と１００％での水位との２点によって浴槽断面積Ａが算出され、暫定的に使用されることになる。
【００１９】
一方、図６は、二回目以降の通常の風呂自動運転のフローチャートで、浴槽４に残湯がない場合のＳ８までの処理（５リットルの落とし込み後、残湯なしの確認）は初回の自動運転と同じであるが、ここでは、浴槽断面積Ａは初回で算出済みであるので、Ｓ９で水量センサ４０を監視して設定湯量まで一度に落とし込みを行う。Ｓ１０で落とし込み電磁弁３９をＯＦＦさせてＳ１１で給湯停止と沸き上げ報知を行った後、Ｓ１２でポンプ３１の回転数制御を行って基準水位２を検出し（Ｓ１３）、初回で得た基準水位１との差が６cm以上か否かを判別する（Ｓ１４）。
【００２０】
この判別で、差が６cm以上であれば、今回の湯張りの途中で人が入浴した等の一時的な水位の上昇があったものとして、基準水位を更新せず、初回の基準水位１を引き続いて基準水位Ｌとして使用し（Ｓ１５）、差が６cmを超えなければ、以後Ｓ１３で得られた基準水位２の値を基準水位Ｌとして使用する（Ｓ１６）。
次にＳ１７でポンプ３１をＯＮさせ、１分経過確認後（Ｓ１８）、Ｓ１９で、浴槽４内の湯温がリモコンで指示される設定温度未満か否かを確認する。ここで設定温度以上であれば、Ｓ２３でポンプ３１をＯＦＦして後述する保温運転が行われるが、設定温度未満であれば、Ｓ２０で、比例弁１８と切替電磁弁３５をＯＮさせて風呂バーナ２７に点火して循環加熱回路３を循環する湯を加熱し（風呂燃焼制御）、Ｓ２１で設定温度の到達を確認すると、Ｓ２２で風呂バーナ２７の燃焼を停止させてＳ２３でポンプ３１の駆動を停止させ、保温運転へ移行する。
【００２１】
一方、Ｓ７で残湯ありを確認してからの制御も初回と略同じであるが、ここでは、１０リットルの落とし込みを行って水位を検出すると（Ｓ２４〜Ｓ２９）、基準水位１との差と浴槽断面積Ａとから基準水位１までの不足湯量を算出し、その不足湯量を落とし込んで落とし込み電磁弁３９を停止させる（Ｓ３０〜Ｓ３２）。そして、Ｓ３３での給湯停止と共にポンプ３１をＯＮさせ、１分間の循環後（Ｓ３４）、浴槽４内の湯温が設定温度以上であれば保温運転へ移行し、設定温度未満であれば風呂燃焼を行って設定温度まで加熱してから保温運転へ移行する（Ｓ３５〜Ｓ３９）。
【００２２】
こうして湯張りが終了すると、図７に示す保温運転が行われる。保温運転は、リモコンで設定された時間（例えば１〜９時間）内で、所定時間（１０〜６０分）ごとに行われる。即ち、Ｓ４０の判別で設定時間内で、且つＳ４１の判別で所定時間経過を確認すると、Ｓ４２，４３でポンプ３１を２分間ＯＮさせてから湯温を確認する（Ｓ４４）。この判別で所定温度以下であれば、Ｓ４５で風呂バーナ２７に点火して風呂燃焼を行い、設定温度以上を確認すると（Ｓ４６）、風呂燃焼を停止させてポンプ３１をＯＦＦさせる（Ｓ４７，Ｓ４８）。尚、Ｓ４４の判別で設定温度を超えていれば、Ｓ４９で更に２分経過を確認後、Ｓ４８でポンプ３１をＯＦＦさせる。
そして、ポンプ３１のＯＦＦ後、Ｓ５０では、リモコンによる設定湯量の変更があったか否かを判別する。ここで変更があれば、Ｓ５１では、変更後の設定湯量が変更前の設定湯量より大きいか否かを判別し、変更後の設定湯量が大きければ、Ｓ５２で落とし込み電磁弁３９をＯＮさせて給湯燃焼を開始し、Ｓ５３で変更による増加分の湯量を浴槽４へ落とし込む。増加分の落とし込みが終了すると、Ｓ５４で落とし込み電磁弁３９をＯＦＦさせて給湯を停止し、Ｓ５５では基準水位Ｌの変更を行う。即ち、増加分の湯量Ｑと、初回の自動運転で算出した浴槽断面積Ａから、変更後の基準水位Ｌ′を以下の数３で算出する。
【００２３】
【数３】
0004190123.tif 000004
【００２４】
こうして得られた変更後の基準水位Ｌ′を基準水位Ｌとして、Ｓ５６以下の処理を行う。尚、Ｓ５０の判別で設定湯量の変更がない場合は、元の基準水位ＬのままＳ５６以下の処理が実行される。
Ｓ５６では、圧力センサ２４で検出される水位が、基準水位Ｌから３cm以上低下したか否かを判別する。ここで３cm以上低下していれば、Ｓ５７で浴槽断面積Ａと水位低下量とから足し湯量を算出する。そして、Ｓ５８で落とし込み電磁弁３９をＯＮさせて給湯燃焼を開始し、算出された足し湯量を落とし込む（Ｓ５９）。落とし込みが終了すると、落とし込み電磁弁３９をＯＦＦさせて給湯を停止させ（Ｓ６０）、Ｓ４０の保温運転初期へ戻る。
【００２５】
そして、保温運転が終了して風呂自動スイッチがＯＦＦされた後、再び風呂自動スイッチがＯＮされると、図２のＳ１の判別から開始される。即ち、前回の湯張りの際に得られた浴槽断面積Ａの記憶があって、保温運転の際の設定湯量の変更の記憶がなければ（これらはコントローラ４５に設けられたＥＥＰＲＯＭ等の不揮発性メモリに記憶される）、当該浴槽断面積Ａに基づいて通常の風呂自動運転が実行され、浴槽断面積Ａの記憶がない場合は勿論、浴槽断面積Ａの記憶があっても、設定湯量の変更の記憶があれば、初回の風呂自動運転の実行によって浴槽断面積Ａを改めて算出し直すのである。
【００２６】
このように上記形態によれば、初回の湯張りの際の浴槽断面積の記憶があっても、設定湯量が変更された場合には、次回の湯張りの際に再度初回の風呂自動運転を行って浴槽断面積を算出し、浴槽断面積を更新するようにしたことで、浴室のリフォーム等で浴槽の形状が変更した場合でも、浴槽に合わせた正確な浴槽断面積を自動的に得ることができる。よって、ユーザーには何等の負担なく適正な足し湯が行われ、良好な使い勝手が得られる。
【００２７】
尚、上記形態では、湯張りは設定湯量に基づいて行われるもので説明しているが、リモコンで設定される基準水位に基づいて湯張りが行うものでも本発明は同様に採用できる。この場合は、図２におけるＳ３では、基準水位の変更の履歴があるか否かを判別するものとなる。更に、図２のＳ２における初回風呂自動運転では、水位の変化量と湯量とから浴槽断面積を算出するものであれば、具体的な制御は問わないし、Ｓ４における通常風呂自動運転でも、設定湯量又は基準水位に従って湯張りを行うと共に、記憶された浴槽断面積を基にして足し湯制御等を行うものであれば、具体的な制御は上記形態に限定するものではない。
【００２８】
【発明の効果】
請求項１に記載の発明によれば、設定湯量又は基準水位が変更された場合には、次回の湯張りの際に浴槽断面積を再度算出して浴槽断面積を更新するようにしたことで、浴室のリフォーム等で浴槽の形状が変更した場合でも、浴槽に合わせた正確な浴槽断面積を自動的に得ることができる。よって、ユーザーには何等の負担なく適正な足し湯が行われ、良好な使い勝手が得られる。
【図面の簡単な説明】
【図１】自動風呂装置の概略図である。
【図２】自動運転の選択制御のフローチャートである。
【図３】初回の風呂自動運転のフローチャートである。
【図４】初回の風呂自動運転のフローチャートである。
【図５】初回の風呂自動運転のフローチャートである。
【図６】通常の風呂自動運転のフローチャートである。
【図７】保温運転のフローチャートである。
【符号の説明】
１・・自動風呂装置、２・・給湯回路、３・・循環加熱回路、４・・浴槽、６・・給湯燃焼室、７・・給湯バーナ、８・・給湯熱交換器、１８・・比例弁、１９，３４・・分岐管、２４・・圧力センサ、２６・・風呂燃焼室、２７・・風呂バーナ、２８・・風呂熱交換器、３１・・ポンプ、３９・・落とし込み電磁弁、４３・・ファン、４５・・コントローラ。
【図１】
0004190123.tif 000005
【図２】
0004190123.tif 000006
【図３】
0004190123.tif 000007
【図４】
0004190123.tif 000008
【図５】
0004190123.tif 000009
【図６】
0004190123.tif 000010
【図７】
0004190123.tif 000011